(57)【要約】  ナットと固定部材との芯出しが容易かつ適正に行うことができるボールねじ装置を提供する。そのために、ボールねじ装置（１）は、ねじ軸（１０）と、ねじ軸（１０）を貫通すると共に、転動体Ｂを介してねじ軸（１０）に螺合してねじ軸（１０）の軸方向に移動可能に設置されたナット（２０）と、固定部材（４０）とを有する。固定部材（４０）はナット（２０）の端面（２０ａ）に取り付けられ、固定部材（４０）には、ナット（２０）内への異物の侵入を防ぐ防塵部材（６０）が取り付けられる。そして、ナット（２０）の端面（２０ａ）には、固定部材（４０）のフランジ部（４２）の外周面（４２ａ）に嵌合する印ろう部（２０ｂ）が形成されている。
2013061555.tif 000002
【特許請求の範囲】
【請求項１】
ねじ軸と、該ねじ軸を貫通すると共に、転動体を介して前記ねじ軸に螺合して前記ねじ軸の軸方向に移動可能に設置されたナットと、
前記ナットの端面に取り付けられた固定部材とを有するボールねじ装置であって、
前記ナットの端面には、前記固定部材のフランジ部の外周面に嵌合する印ろう部が形成されたことを特徴とするボールねじ装置。
【請求項２】
前記固定部材が、前記ねじ軸の表面に潤滑剤を供給する含油部材を収容することを特徴とする請求項１に記載のボールねじ装置。
【請求項３】
前記ねじ軸の表面に潤滑剤を供給する含油部材が前記固定部材に収容され、
前記含油部材が径方向に間隙を有する複数の分割体に分割され、
前記固定部材には、前記間隙に係合して、前記含油部材の回転を制限する含油部材回転防止部材が形成されたことを特徴とする請求項１又は２に記載のボールねじ装置。
【請求項４】
前記含油部材回転防止部材が、前記固定部材に一体に成形されたことを特徴とする請求項３に記載のボールねじ装置。
【請求項５】
前記含油部材回転防止部材が、前記ねじ軸の径方向に対して対称的に複数設けられたことを特徴とする請求項３又は４に記載のボールねじ装置。
【発明の詳細な説明】
【技術分野】
【０００１】
本発明は、ボールねじ装置に関する。
【背景技術】
【０００２】
従来より、ボールねじ装置は、螺旋状のねじ溝が形成されたねじ軸をナットに挿通し、そのねじ溝を転動循環する複数のボールによってナットとねじ軸相互の相対移動をスムーズにするものである。
このようなボールねじ装置においては、運転中のボールねじ装置内に粉塵や切削粉などの異物が侵入すると、そのねじ溝面の摩耗を促進したり、あるいは圧痕を生じたりして異常な振動や騒音を発生し、ボールねじ本来の精度や性能を劣化させるだけでなく、ときには破損に至る事例も見受けられる。【０００３】
そのため、このようなボールねじ装置に対して外部からの異物の侵入を防ぐためには、従来からそのナット端部にフェルトワイパーシールやラビリンスシールを設けたり、ねじ軸全体を蛇腹などの種々のカバーで覆ってしまう方法、あるいはそれらの併用する方法などが一般的に用いられている（例えば、特許文献１，２参照）。【０００４】
以下、図１４及び図１５を参照して、この種のボールねじ装置について説明する。図１４は、従来のボールねじ装置の構成を示す図であり、（ａ）は正面図、（ｂ）は軸方向に沿う断面図、（ｃ）は固定部材の軸方向に沿う断面図である。また、図１５は、従来のボールねじ装置の構成を示す図であり、（ａ）は正面図、（ｂ）は軸方向に沿う断面図、（ｃ）は固定部材の軸方向に沿う断面図である。また、図１７は、従来のボールねじ装置の構成を示す図であり、（ａ）は正面図、（ｂ）は軸方向に沿う断面図である。また、図１８は、従来のボールねじ装置の固定部材の構成を示す図であり、（ａ）は正面図、（ｂ）は（ａ）の１８ｂ−１８ｂ線に沿う断面図である。【０００５】
図１４及び図１５に示すように、従来のボールねじ装置１００は、軸方向に延びるロッド状のねじ軸１１０と、ねじ軸１１０が貫通する筒形状のナット１２０と、ナット１２０の端部１２０ａに設けられた循環部材１３０と、循環部材１３０に取り付けられた固定部材１４０とを有する。固定部材１４０には、固定部材１４０内（転動路内）への塵埃の侵入を防ぐ防塵部材１６０が取り付けられている。具体的には、固定部材１４０に開口側に設けられたねじ孔１３２に螺合する固定ねじ１７２によって押さえ板１６１を介して防塵部材１６０が固定部材１３０に取り付けられている。なお、図１５（ｂ），（ｃ）に示すように、固定部材１４０には、ねじ軸１１０の外周面に潤滑油を供給する含油部材１５０が収容されてもよい。固定部材１４０は、固定ねじ１７１によってナット１２０に装着されている。【０００６】
一方、図１７及び図１８（ａ），（ｂ）に示すように、従来のボールねじ装置２００は、軸方向に延びるロッド状のねじ軸２１０と、ねじ軸２１０が貫通する筒形状のナット２２０と、ナット２２０の端部２２０ａに取り付けられた固定部材２４０とを有する。固定部材２４０には、ねじ軸２１０の外周面に潤滑油を供給する含油部材２５０が内蔵される。また、固定部材２４０のナット２２０とは反対側の端部２４０ａには、固定部材２４０内（転動路内）への塵埃の侵入を防ぐ防塵部材２６０が取り付けられている。具体的には、固定ねじ２７１によって固定部材２４０がナット２２０の端面２２０ａに取り付けられている。また、固定部材２４０の周壁部２４１に形成されたねじ孔２４２に螺合された含油部材回転止め用ねじ２７２によって含油部材２５０が固定部材２４０の内部に固定されている。また、固定部材２４０の端部２４０ａに形成されたねじ孔２４３に螺合された防塵部材回転止め用ねじ２７２によって防塵部材２６０が固定部材２４０の端部２４０ａに装着されている。
【先行技術文献】
【特許文献】
【０００７】
【特許文献１】特開２０１０−４３２４４号公報
【特許文献２】特開２００８−０４５６３２号公報
【発明の概要】
【発明が解決しようとする課題】
【０００８】
しかしながら、このように構成された従来のボールねじ装置１００においては、ナット１２０の端面１２０ａと固定部材１４０の接触面１４０ａはそれぞれ平面をなし、循環部材１３０の表面（ナット１２０の端面１２０ａを構成する面）も同様に平面形をなしている。
したがって、従来のボールねじ装置１００においては、ナット１２０の端面１２０ａに固定部材１４０を組付ける必要性から、ナット１２０と固定部材１４０との芯出しを厳に行う必要がある。【０００９】
具体的には、図１６（ａ），（ｂ）に示すように、固定部材１４０の芯とナット１２０の芯とを合わせて組み付けた結果、その後工程である防塵部材１６０の取付において、防塵部材１６０が適正に取り付けられる。一方、図１６（ｃ），（ｄ）に示すように、固定部材１４０の芯とナット１２０の芯とがずれた状態で組み付けた結果、防塵部材１６０の組付けが適正にできないことがあり、防塵部材１６０とねじ軸１１０とが片当り（反対側ではスキマ状態）となる問題を招く可能性があった。その結果、スキマ大によるボールねじ装置１００の内部への異物侵入や、防塵部材１６０の片当りによる、作動トルク増大化を招く原因となることがあり、改善の余地があった。【００１０】
また、上述したように、従来のボールねじ装置２００においては、ねじ軸２１０の外周面に接し、内部に含まれる潤滑油等をねじ軸２１０の表面へ転移させるための含油部材２５０は、回転止め用ねじ２７２によって固定部材２４０に固定されている。これは含油部材２５０がねじ軸２１０の回転に合わせて同調回転してしまうとその内径側の磨耗劣化が進み、結果として潤滑不良を招くからである。【００１１】
しかしながら、上述したような従来のボールねじ装置２００の組立時においては、ねじ孔２４２と固定部材２４０内の含油部材２５０との位置関係が把握しにくい場合があり、結果として、作業効率の低下、及び組立てに要する時間の短縮化について改善の余地があった。
また、固定部材２４０の周壁部２４１には、タップ加工によってねじ孔２４２，２４３を形成する必要があり、加工数が多くなると共に、製造コストの増大を招くことがあるので、加工数の減少及び製造コストの低減についても改善の余地があった。【００１２】
そこで、本発明は上記の問題点に着目してなされたものであり、その目的は、ナットと固定部材との芯出しが容易かつ適正に行うことができるボールねじ装置を提供することにある。
また、本発明の他の目的は、作業者が含油部材を固定部材内に容易に固定することができ、低コスト化を実現し、組立時の作業効率を向上させるボールねじ装置を提供することにある。
【課題を解決するための手段】
【００１３】
上記課題を解決するための本発明のある実施形態のボールねじ装置は、ねじ軸と、該ねじ軸を貫通すると共に、転動体を介して上記ねじ軸に螺合して上記ねじ軸の軸方向に移動可能に設置されたナットと、
上記ナットの端部に取り付けられた固定部材とを有し、
上記ナットの端面には、上記固定部材のフランジ部の外周面に嵌合する印ろう部が形成される。
また、上記ボールねじ装置は、上記固定部材が、前記ナット内への異物の侵入を防ぐ防塵部材を備えてもよい。
また、上記ボールねじ装置は、上記固定部材が、上記ねじ軸の表面に潤滑剤を供給する含油部材を収容するようにしてもよい。【００１４】
また、本発明の他の実施形態のボールねじ装置は、ねじ軸と、該ねじ軸を貫通すると共に、転動体を介して上記ねじ軸に螺合して上記ねじ軸の軸方向に移動可能に設置されたナットと、
上記ねじ軸の表面に潤滑剤を供給する含油部材を収容し、上記ナットの端部に取り付けられた固定部材とを有し、
上記含油部材が径方向に間隙を有する複数の分割体に分割され、
上記固定部材には、上記間隙に係合して、上記含油部材の回転を制限する含油部材回転防止部材とが形成される。【００１５】
また、上記ボールねじ装置は、上記固定部材が、前記ナット内への異物の侵入を防ぐ防塵部材を備えてもよい。
また、上記ボールねじ装置は、上記含油部材回転防止部材が、上記固定部材に一体に成形されてもよい。
また、上記ボールねじ装置は、上記含油部材回転防止部材が、上記ねじ軸の径方向に対して対称的に複数設けられてもよい。
【発明の効果】
【００１６】
本発明のある実施形態のボールねじ装置によれば、ナットと固定部材との芯出しが容易かつ適正に行うことができるボールねじ装置を提供することができる。  また、本発明の他の実施形態のボールねじ装置によれば、作業者が含油部材を固定部材内に容易に固定することができ、低コスト化を実現し、組立時の作業効率を向上させるボールねじ装置を提供することができる。
【図面の簡単な説明】
【００１７】
【図１】ボールねじ装置の第１の実施形態における構成を示す図であり、（ａ）は正面図、（ｂ）は軸方向に沿う断面図、（ｃ）は固定部材をナットに固定する際の状態を示す軸方向に沿う断面図である。
【図２】ボールねじ装置の第１の実施形態における固定部材の構成を示す図であり、（ａ）は正面図、（ｂ）は（ａ）の２ｂ−２ｂ線に沿う断面図である。
【図３】ボールねじ装置の第２の実施形態における構成を示す図であり、（ａ）は正面図、（ｂ）は軸方向に沿う断面図である。
【図４】ボールねじ装置の第２の実施形態における固定部材の構成を示す図であり、（ａ）は正面図、（ｂ）は（ａ）の４ｂ−４ｂ線に沿う断面図である。
【図５】ボールねじ装置の第３の実施形態における構成を示す図であり、（ａ）は正面図、（ｂ）は軸方向に沿う断面図である。
【図６】ボールねじ装置の第３の実施形態における固定部材の構成を示す図であり、（ａ）は正面図、（ｂ）は（ａ）の６ｂ−６ｂ線に沿う断面図である。
【図７】ボールねじ装置の第３の実施形態における変形例としての固定部材の構成を示す図であり、（ａ）は正面図、（ｂ）は（ａ）の７ｂ−７ｂ線に沿う断面図である。
【図８】ボールねじ装置の第４の実施形態における固定部材の構成を示す図であり、（ａ）は正面図、（ｂ）は（ａ）の８ｂ−８ｂ線に沿う断面図である。
【図９】ボールねじ装置の第４の実施形態における変形例としての固定部材の構成を示す図であり、（ａ）は正面図、（ｂ）は（ａ）の９ｂ−９ｂ線に沿う断面図である。
【図１０】ボールねじ装置の第５の実施形態における固定部材の構成を示す図であり、（ａ）は正面図、（ｂ）は（ａ）の１０ｂ−１０ｂ線に沿う断面図、（ｃ）は（ａ）のＡ矢視図である。
【図１１】ボールねじ装置の第５の実施形態における変形例としての固定部材の構成を示す図であり、（ａ）は正面図、（ｂ）は（ａ）の１１ｂ−１１ｂ線に沿う断面図である。
【図１２】ボールねじ装置の第６の実施形態における固定部材の構成を示す図であり、（ａ）は正面図、（ｂ）は（ａ）の１２ｂ−１２ｂ線に沿う断面図である。
【図１３】ボールねじ装置の第６の実施形態における変形例としての固定部材の構成を示す図であり、（ａ）は正面図、（ｂ）は（ａ）の１３ｂ−１３ｂ線に沿う断面図である。
【図１４】従来のボールねじ装置の構成を示す図であり、（ａ）は正面図、（ｂ）は軸方向に沿う断面図、（ｃ）は固定部材の軸方向に沿う断面図である。
【図１５】従来のボールねじ装置の構成を示す図であり、（ａ）は正面図、（ｂ）は軸方向に沿う断面図、（ｃ）は固定部材の軸方向に沿う断面図である。
【図１６】従来のボールねじ装置における問題点を示す図であり、（ａ）は適正な位置合わせがされたボールねじ装置の正面図、（ｂ）は適正な位置合わせがされたボールねじ装置の軸方向に沿う断面図、（ｃ）は不適正な位置合わせがされたボールねじ装置の正面図、（ｄ）は不適正な位置合わせがされたボールねじ装置の軸方向に沿う断面図である。
【図１７】従来のボールねじ装置の構成を示す図であり、（ａ）は正面図、（ｂ）は軸方向に沿う断面図である。
【図１８】従来のボールねじ装置の固定部材の構成を示す図であり、（ａ）は正面図、（ｂ）は（ａ）の１８ｂ−１８ｂ線に沿う断面図である。
【発明を実施するための形態】
【００１８】
以下、本発明に係るボールねじ装置の実施形態について図面を参照して説明する。
（第１の実施形態）
図１は、ボールねじ装置の第１の実施形態における構成を示す図であり、（ａ）は正面図、（ｂ）は軸方向に沿う断面図、（ｃ）は固定部材をナットに固定する際の状態を示す軸方向に沿う断面図である。また、図２は、ボールねじ装置の第１の実施形態における固定部材の構成を示す図であり、（ａ）は正面図、（ｂ）は（ａ）の２ｂ−２ｂ線に沿う断面図である。
【００１９】
＜ボールねじ装置の構成＞
図１に示すように、本実施形態のボールねじ装置１は、軸方向に延びるロッド状のねじ軸１０と、ねじ軸１０が貫通する筒形状のナット２０と、ナット２０の端部に設けられた循環部材３０と、ナット２０に取り付けられた固定部材４０とを有する。固定部材４０の一方の端面４０ａには、転動路内への塵埃の侵入を防ぐ防塵部材６０が取り付けられている。ここで、固定部材４０は、ナット２０の両端面２０ａ，２０ａに設けられることが好ましい。本実施形態のボールねじ装置１は、ナット２０の端面２０ａ側の内部に循環部材３０が設けられる、所謂エンドデフレクタ式ボールねじ装置である。
ねじ軸１０は、その外周面１０ａに複数のボールＢが転動する螺旋状のねじ溝１１が形成されている。
【００２０】
＜ナット＞
一方、ナット２０は、ねじ軸１０の外径より大きい内径で筒状に形成されている。ナット２０の内周面には、ねじ軸１０の外周面に形成された転動溝１１に対向するように転動溝２１が形成されている。これら、ねじ軸１０の転動溝１１と、ナット２０の転動溝２１とによって転動路が形成される。
また、ナット２０には、軸方向に貫通する貫通孔２２が形成されている。この貫通孔２２は、この貫通孔２２及び転動路に連通するように循環部材３０に形成された循環溝３１と共に循環路を形成する。このようにして、ボールねじ装置１は、ボールＢが転動路及び循環路を循環することによって、ボールＢを介して螺合するねじ軸１０とナット２０とが軸方向に相対移動することとなる。
【００２１】
［印ろう部］
ここで、ナット２０の端面２０ａには、この端面２０ａに取り付けられる固定部材４０のフランジ部４２の外周面４２ａに嵌合する印ろう部２０ａが形成されている。この印ろう部２０ｂは、ナット２０の端面２０ａ及び循環部材３０の端面３０ａに亘って連続した円環形状をなす。すなわち、本実施形態におけるナット２０の端面２０ａは、循環部材３０の端面３０ａも含む。
従って、ナット２０の端面２０ａ及び循環部材３０の端面３０ａに形成された印ろう部２０ｂ，３０ｂは、固定部材３０を装着する向きに外縁部が円環状に突出した凹形状に形成される。
【００２２】
＜固定部材＞
固定部材４０は、図２（ａ），（ｂ）に示すように、ねじ軸１０よりも十分に径大な筒状の本体部４１と、この本体部４１の内周面に沿って端部から径方向内方（ねじ軸１０方向）に直角に連続する円環状のフランジ部４２とから構成されている。なお、固定部材４０は、本体部４１とフランジ部４２とがプレス成形により一体成形されていることが好ましい。
【００２３】
ここで、フランジ部４２は、印ろう部２０ｂ，３０ｂに嵌合するようにねじ軸１０を基準としてナット２０と固定部材４０とが同軸となるように形成されている。
また、図２（ｂ）に示すように、固定部材４０の本体部４１におけるフランジ部４２が形成された端面と反対側の端面４０ａには、押さえ板１６１（図１（ａ），（ｂ）参照）を介して防塵部材６０を固定するための防塵部材回転止め用ねじ７２を螺合するねじ孔４３が１つ以上形成されている。また、フランジ部４２には、固定部材４０を循環部材３０（又はナット２０）に固定するための固定ねじ７１を螺合するねじ孔４４が１つ以上形成されている。
【００２４】
このような構成をなす固定部材４０は、図１（ｂ）に示すように、端面４０ａがボールねじ装置１の外側に位置するように、フランジ部４２を、ナット２０の端部２０ａ及び循環部材３０の端部３０ａに形成された印ろう部２０ｂ，３０ｂに嵌合させて固定ねじ７１で固定される。
【００２５】
ここで、固定部材４０をナット２０に固定する際、図１（ｃ）に示すように、樹脂製の循環部材３０は、その一部が寸法αだけナット２０の端部２０ａから突出するようにナット２０に嵌合されている。そして、固定部材４０の他の端面４０ｂを循環部材３０の突出した部分の端面３０ａに押し当てて循環部材３０を弾性変形させることで、図１（ｂ）に示すように固定部材４０をナット２０に固定する。なお、固定部材４０をナット２０に固定する際、固定部材４０は、フランジ部４２の端面４２ｂが循環部材３０の印ろう部３０ｂに接触することはあっても押すことはないように設計される。したがって、循環部材３０がガタなく組み付けられるので、結果として、ボールねじ装置１の剛性が増すという効果を奏する。特に、フランジ部４２を、ナット２０の端部２０ａ及び循環部材３０の印ろう部２０ｂ，３０ｂに嵌合させるので、循環部材３０がずれることなく組み付けることができる。
【００２６】
＜防塵部材＞
防塵部材６０は、ねじ軸１０の外周面１０ａ（転動溝１１を含む）に接するか又は所定の間隔を有して固定部材４０に固定される。具体的には、ネジ孔４３に螺合された防塵部材回転止め用ねじ７２によって押さえ板６１を介して固定部材４０の一方の端面４０ａに固定される。防塵部材６０の形状は、固定部材４０の内周面の形状に合わせて形成されることが好ましく、円環形状が好ましい。
【００２７】
このように、固定部材４０のフランジ部４２の外周面４２ａが、ナット２０の端面２０ａに形成された印ろう部２０ｂに嵌合されることにより、ナット２０と固定部材４０との芯出しが容易かつ適正に行うことができる。
また、固定部材４０の端面４０ａに装着される防塵部材６０も正常に取り付けられることとなり、芯出し不備による問題を未然に防ぐことができる。
【００２８】
（第２の実施形態）
図３は、ボールねじ装置の第２の実施形態における構成を示す図であり、（ａ）は正面図、（ｂ）は軸方向に沿う断面図である。また、図４は、ボールねじ装置の第２の実施形態における固定部材の構成を示す図であり、（ａ）は正面図、（ｂ）は（ａ）の４ｂ−４ｂ線に沿う断面図である。
【００２９】
＜ボールねじ装置の構成＞
図３に示すように、本実施形態のボールねじ装置１は、軸方向に延びるロッド状のねじ軸１０と、ねじ軸１０が貫通する筒形状のナット２０と、ナット２０の端部に設けられた循環部材３０と、ナット２０に取り付けられた固定部材４０とを有する。固定部材４０には、ねじ軸１０の外周面１０ａに潤滑油を供給する含油部材５０が内蔵され、かつ固定されている。また、固定部材４０の一方の端面４０ａには、転動路内への塵埃の侵入を防ぐ防塵部材６０が取り付けられている。ここで、固定部材４０は、ナット２０の両端面２０ａ，２０ａに設けられることが好ましい。本実施形態のボールねじ装置１は、ナット２０の端面２０ａ側の内部に循環部材３０が設けられる、所謂エンドデフレクタ式ボールねじ装置である。
ねじ軸１０は、その外周面１０ａに複数のボールＢが転動する螺旋状のねじ溝１１が形成されている。
【００３０】
＜ナット＞
一方、ナット２０は、ねじ軸１０の外径より大きい内径で筒状に形成されている。ナット２０の内周面には、ねじ軸１０の外周面に形成された転動溝１１に対向するように転動溝２１が形成されている。これら、ねじ軸１０の転動溝１１と、ナット２０の転動溝２１とによって転動路が形成される。
また、ナット２０には、軸方向に貫通する貫通孔２２が形成されている。この貫通孔２２は、この貫通孔２２及び転動路に連通するように循環部材３０に形成された循環溝３１と共に循環路を形成する。このようにして、ボールねじ装置１は、ボールＢが転動路及び循環路を循環することによって、ボールＢを介して螺合するねじ軸１０とナット２０とが軸方向に相対移動することとなる。
【００３１】
［印ろう部］
ここで、ナット２０の端面２０ａには、この端面２０ａに取り付けられる固定部材４０のフランジ部４２の外周面４２ａに嵌合する印ろう部２０ａが形成されている。この印ろう部２０ｂは、ナット２０の端面２０ａ及び循環部材３０の端面３０ａに亘って連続した円環形状をなす。すなわち、本実施形態におけるナット２０の端面２０ａは、循環部材３０の端面３０ａも含む。
従って、ナット２０の端面２０ａ及び循環部材３０の端面３０ａに形成された印ろう部２０ｂ，３０ｂは、固定部材３０を装着する向きに外縁部が円環状に突出した凹形状に形成される。
【００３２】
＜固定部材＞
固定部材４０は、図４（ａ），（ｂ）に示すように、円環形状の含油部材５０をねじ軸１０よりも十分に径大な筒状の本体部４１と、この本体部４１の内周面に沿って端部から径方向内方（ねじ軸１０方向）に直角に連続する円環状のフランジ部４２とから構成されている。なお、固定部材４０は、本体部４１とフランジ部４２とがプレス成形により一体成形されていることが好ましい。
ここで、フランジ部４２は、印ろう部２０ｂ，３０ｂに嵌合するようにねじ軸１０を基準としてナット２０と固定部材４０とが同軸となるように形成されている。
【００３３】
また、図４（ｂ）に示すように、固定部材４０の本体部４１におけるフランジ部４２が形成された端面と反対側の端面４０ａには、押さえ板１６１（図３（ａ），（ｂ）参照）を介して防塵部材６０を固定するための防塵部材回転止め用ねじ７２を螺合するねじ孔４３が１つ以上形成されている。また、フランジ部４２には、固定部材４０を循環部材３０（又はナット２０）に固定するための固定ねじ７１を螺合するねじ孔４４が１つ以上形成されている。
【００３４】
このような構成をなす固定部材４０は、図３（ｂ）に示すように、端面４０ａがボールねじ装置１の外側に位置するように、フランジ部４２を、ナット２０の端部２０ａ及び循環部材３０の端部３０ａに形成された印ろう部２０ｂ，３０ｂに嵌合させて固定ねじ７１で固定される。
【００３５】
＜含油部材＞
図３（ｂ）及び図４（ｂ）に示すように、含油部材５０は、固定部材４０の本体部４１に形成されたねじ孔４５に螺合する含油部材回転止め用ねじ７３によって固定部材４０の内部に装着されている。また、含油部材５０は、例えば、潤滑油を吸収保持するリング状に形成された材料から構成されており、ねじ軸１０表面に潤滑剤を供給して適度な潤滑性を発揮する。なお、含油部材５０は、間隙部５１を有して２つ以上に分割された複数の分割体５２によって構成されてもよい。
【００３６】
＜防塵部材＞
防塵部材６０は、ねじ軸１０の外周面１０ａ（転動溝１１を含む）に接するか又は所定の間隔を有して固定部材４０に固定される。具体的には、ネジ孔４３に螺合された防塵部材回転止め用ねじ７２によって押さえ板６１を介して固定部材４０の一方の端面４０ａに固定される。防塵部材６０の形状は、固定部材４０の内周面の形状に合わせて形成されることが好ましく、円環形状が好ましい。
【００３７】
このように、固定部材４０のフランジ部４２の外周面４２ａが、ナット２０の端面２０ａに形成された印ろう部２０ｂに嵌合されることにより、ナット２０と固定部材４０との芯出しが容易かつ適正に行うことができる。
また、固定部材４０の端面４０ａに装着される防塵部材６０も正常に取り付けられることとなり、芯出し不備による問題を未然に防ぐことができる。
以上説明したように、本実施形態によれば、ナットと固定部材との芯出しが容易かつ適正に行うことができるボールねじ装置を提供することができる。
【００３８】
（第３の実施形態）
＜ボールねじ装置の構成＞
図５は、ボールねじ装置の第３の実施形態における構成を示す図であり、（ａ）は正面図、（ｂ）は軸方向に沿う断面図である。また、図６は、ボールねじ装置の第３の実施形態における固定部材の構成を示す図であり、（ａ）は正面図、（ｂ）は（ａ）の６ｂ−６ｂ線に沿う断面図である。また、図７は、ボールねじ装置の第３の実施形態における変形例としての固定部材の構成を示す図であり、（ａ）は正面図、（ｂ）は（ａ）の７ｂ−７ｂ線に沿う断面図である。
【００３９】
図５（ａ），（ｂ）に示すように、本実施形態のボールねじ装置１は、軸方向に延びるロッド状のねじ軸１０と、ねじ軸１０が貫通する筒形状のナット２０と、ナット２０の端部２０ａに取り付けられた固定部材４０とを有する。固定部材４０には、ねじ軸１０の外周面１０ａに潤滑油を供給する含油部材５０が内蔵される。また、固定部材４０のナット２０とは反対側の端部４０ａには、固定部材４０内（転動路内）への塵埃の侵入を防ぐ防塵部材６０が取り付けられている。ここで、固定部材４０は、ナット２０の両端部２０ａ，２０ａに設けられることが好ましい。
【００４０】
ねじ軸１０は、その外周面１０ａに複数のボールＢが転動する螺旋状のねじ溝１１が形成されている。
一方、ナット２０は、ねじ軸１０の外径より大きい内径で筒状に形成されている。ナット２０の内周面には、ねじ軸１０の外周面に形成された転動溝１１に対向するように転動溝２１が形成されている。これら、ねじ軸１０の転動溝１１と、ナット２０の転動溝２１とによって転動路が形成される。ボールねじ装置１は、ボールＢが転動路及び図示しない循環路を循環することによって、ボールＢを介して螺合するねじ軸１０とナット２０とが軸方向に相対移動することとなる。
【００４１】
＜固定部材＞
固定部材４０は、図５及び図６に示すように、軸方向の両方の開口部４０ｂ，４０ｃのそれぞれの開口面積を異ならせた筒形状をなす。具体的には、図５及び図６に示すように、固定部材４０は、ねじ軸１０よりも十分に径大な筒状の本体部４１と、この本体部４１の端部から径方向内方（ねじ軸１０方向）に直角に連続する円環状のフランジ部４２とから構成されている。すなわち、固定部材４０の一方の開口部４０ｂは、筒状の本体部４１の開口部分であり、他方の開口部４０ｃは、円環状をなすフランジ部４２の開口部分である。なお、固定部材４０は、本体部４１とフランジ部４２とがプレス成形により一体成形されていることが好ましい。
【００４２】
また、フランジ部４２には、含油部材５０を固定する含油部材回転防止部材４５が形成されている。この含油部材回転防止部材４５は、本体部４１とフランジ部４２とを連結するように形成されることが好ましい。
ここで、一方の開口部４０ｂの開口径は、含油部材５０の固定部材４０内への設置を妨げない程度に開口されていればよく、他方の開口部４０ｃの開口径は、ナット２０側への含油部材５０の移動を制限できる程度に開口されていればよい。
【００４３】
また、本体部４１には、防塵部材６０を固定するための防塵部材回転止め用ねじ７２を螺合するねじ孔４３が１つ以上形成されている。また、フランジ部４２には、固定部材４０をナット２０に固定するための固定ねじ７１を螺合するねじ孔４４が１つ以上形成されている。
固定部材４０は、図５（ｂ）及び図６に示すように、一方の開口部４０ｂがボールねじ装置１の外側に位置するように、他方の開口部４０ｃ（フランジ部４２）をナット２０の端部２０ａに対向させて固定ねじ７１で固定される。
【００４４】
＜含油部材＞
含油部材５０は、例えば、潤滑油を吸収保持するリング状に形成された材料から構成されており、ねじ軸１０表面に潤滑剤を供給して適度な潤滑性を発揮する。なお、含油部材５０は、図６に示すように、間隙部５１を有して２つ以上に分割された複数の分割体５２（図６においては２つ）によって構成されている。分割体５２の数（含油部材５０の分割数）は２〜４がよく、４つ（４分割）が好ましい。
【００４５】
＜防塵部材＞
防塵部材６０は、図５（ａ），（ｂ）に示すように、ねじ軸１０の外周面１０ａ（転動溝１１を含む）に接するか又は所定の間隔を有して固定部材４０の端部４０ａに取り付けられる。具体的には、ねじ孔４３に螺合された防塵部材回転止め用ねじ７２によって押さえ板６１を介して固定部材４０の端部４０ａに固定される。防塵部材６０の形状は、固定部材４０の内周面の形状に合わせて形成されることが好ましく、円環形状が好ましい。
【００４６】
［含油部材回転防止部材］
固定部材４０には、含油部材５０を固定する含油部材回転防止部材４５が形成されている。含油部材回転防止部材４５は、図６（ａ）に示すように、本体部４１とフランジ部４２とを連結するように形成された板形状をなして、本体部４１の軸方向に沿うように突出して設けられる。特に、本実施形態の含油部材回転防止部材４５の軸方向の形状は矩形である。含油部材回転防止部材４５が本体部４１及びフランジ部４２から突出する向きは、固定部材４０内に設置される含油部材５０に対向する向きである。また、含油部材回転防止部材４５は、固定部材４０内に設置される含油部材５０の間隙部５１の位置に対応して設けられる。
【００４７】
このように、本体部４１及びフランジ部４２から突出して形成された含油部材回転防止部材４５は、固定部材４０内に設置される含油部材５０の間隙部５１（図６（ａ）参照）に係合することで、含油部材５０がねじ軸１０と共に軸方向に共回りすることを規制できる。
従って、含油部材回転防止部材４５が固定部材４０に設けられることによって、従来より必要であった、含油部材回転止め用のねじが不要となる。それに伴って、固定部材の本体部に含油部材回転止め用のねじを螺合させるねじ穴を形成するためのタップ加工も不要となる。
【００４８】
さらに、固定部材４０内に含油部材５０を固定する際、固定部材４０に設けられた含油部材回転防止部材４５を作業者が手探りで確認できるので、含油部材５０を作業者の手の感覚のみで固定することできる。また、低コスト化を実現し、組立時の作業効率を向上させることができる。
なお、本実施形態の変形例として、図７（ａ），（ｂ）に示すように、含油部材回転防止部材４５を複数（例えば２つ）設けてもよい。また、固定部材４０に複数設けられる含油部材回転防止部材４５は、ねじ軸１０の径方向に対して対称的に設けられることが好ましい。
【００４９】
（第４の実施形態）
次にボールねじ装置の第４の実施形態について説明する。なお、本実施形態は、含油部材回転防止部材４５の形状又は設置態様が前述の第３の実施形態と異なるだけであるので、前述した第３の実施形態と同じ符号を付した同様の構成については説明を省略する。
図８は、ボールねじ装置の第４の実施形態における固定部材の構成を示す図であり、（ａ）は正面図、（ｂ）は（ａ）の８ｂ−８ｂ線に沿う断面図である。図８に示すように、含油部材回転防止部材４５の軸方向の形状を三角形状としてもよい。
【００５０】
また、本実施形態における変形例として、図９（ａ），（ｂ）に示すように、含油部材回転防止部材４５を複数（例えば２つ）設けてもよい。また、固定部材４０に複数設けられる含油部材回転防止部材４５は、ねじ軸１０の径方向に対して対称的に設けられることが好ましい。
【００５１】
（第５の実施形態）
次に、ボールねじ装置の第５の実施形態について説明する。なお、本実施形態も、含油部材回転防止部材４５の形状又は設置態様が前述の第３の実施形態と異なるだけであるので、前述した第３の実施形態と同じ符号を付した同様の構成については説明を省略する。
【００５２】
図１０は、ボールねじ装置の第５の実施形態における固定部材の構成を示す図であり、（ａ）は正面図、（ｂ）は（ａ）の１０ｂ−１０ｂ線に沿う断面図、（ｃ）は（ａ）のＡ矢視図である。図１０に示すように、含油部材回転防止部材４５の軸方向の形状を第４の実施形態と同様に三角形状とし、かつ本体部４１の内周面４１ａと、この内周面４１ａから起立している含油部材回転防止部材４５との連結部分４５ａをテーパ加工してもよい。これは、固定部材４０が成形によって製造されることから、本体部４１の内周面４１ａと、含油部材回転防止部材４５との連結部分に抜き勾配を設けたことになり、加工効率が向上する。
【００５３】
また、本実施形態における変形例として、図１１（ａ），（ｂ）に示すように、含油部材回転防止部材４５を複数（例えば２つ）設けてもよい。また、固定部材４０に複数設けられる含油部材回転防止部材４５は、ねじ軸１０の径方向に対して対称的に設けられることが好ましい。
【００５４】
（第６の実施形態）
次に、ボールねじ装置の第６の実施形態について説明する。なお、本実施形態も、含油部材回転防止部材４５の形状又は設置態様が前述の第３の実施形態と異なるだけであるので、前述した第３の実施形態と同じ符号を付した同様の構成については説明を省略する。
【００５５】
図１２は、ボールねじ装置の第６の実施形態における固定部材の構成を示す図であり、（ａ）は正面図、（ｂ）は（ａ）の１２ｂ−１２ｂ線に沿う断面図である。図１２に示すように、含油部材回転防止部材４５の軸方向の形状をピン形状としてもよい。
また、本実施形態における変形例として、図１３（ａ），（ｂ）に示すように、含油部材回転防止部材４５を複数（例えば２つ）設けてもよい。また、固定部材４０に複数設けられる含油部材回転防止部材４５は、ねじ軸１０の径方向に対して対称的に設けられることが好ましい。
【００５６】
本実施形態のように、含油部材回転防止部材４５をピン形状とすることによって、タップ加工を採用することなく、ピン形状の含油部材回転防止部材４５を挿入するためのキリ穴加工で済むので、タップ孔を加工するよりも、製造コストを安価にできる。
【００５７】
以上説明したように、本実施形態によれば、作業者が含油部材を固定部材内に容易に固定することができ、低コスト化を実現し、組立時の作業効率を向上させるボールねじ装置を提供することができる。
以上、本発明の実施形態について説明してきたが、本発明はこれに限定されずに、種々の変更、改良を行うことができる。
【符号の説明】
【００５８】
１  ボールねじ装置
１０  ねじ軸
２０  ナット
２０ａ  端部
２１  転動溝
２２  貫通孔
３０  循環部材
４０  固定部材
４０ａ  端面
４０ｂ  一方の開口部
４０ｃ  他方の開口部
４１  本体部
４２  フランジ部
４２ａ  外周面
４３  ねじ孔
４４  ねじ孔
４５  ねじ孔
５０  含油部材
６０  防塵部材
７１  固定ねじ
７２  防塵部材回転止め用ねじ
Ｂ  ボール
【図１】
2013061555.tif 000003
【図２】
2013061555.tif 000004
【図３】
2013061555.tif 000005
【図４】
2013061555.tif 000006
【図５】
2013061555.tif 000007
【図６】
2013061555.tif 000008
【図７】
2013061555.tif 000009
【図８】
2013061555.tif 000010
【図９】
2013061555.tif 000011
【図１０】
2013061555.tif 000012
【図１１】
2013061555.tif 000013
【図１２】
2013061555.tif 000014
【図１３】
2013061555.tif 000015
【図１４】
2013061555.tif 000016
【図１５】
2013061555.tif 000017
【図１６】
2013061555.tif 000018
【図１７】
2013061555.tif 000019
【図１８】
2013061555.tif 000020
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
ねじ軸と、該ねじ軸を貫通すると共に、転動体を介して前記ねじ軸に螺合して前記ねじ軸の軸方向に移動可能に設置されたナットと、
前記ナットの端面に取り付けられた固定部材とを有するボールねじ装置であって、
前記ナットの端面と、前記固定部材の前記ナットに対向する端面とが周方向の全面に亘って当接し、
前記固定部材には、前記ナットに対向する端面の周方向の全面に亘ってフランジ部が形成され、
前記ナットの端面には、前記フランジ部の外周面に嵌合する印ろう部が形成されたことを特徴とするボールねじ装置。
【請求項２】
前記固定部材は、前記ねじ軸の表面に潤滑剤を供給する含油部材を収容する筒状の本体部と、この本体部の内周面に沿って端部から径方向内方に直角に連続して前記本体部とは反対側に突出する円環状の前記フランジ部とを有することを特徴とする請求項１に記載のボールねじ装置。
【請求項３】
前記含油部材が径方向に間隙を有する複数の分割体に分割され、
前記固定部材には、前記間隙に係合して、前記含油部材の回転を制限する含油部材回転防止部材が形成されたことを特徴とする請求項２に記載のボールねじ装置。
【請求項４】
前記含油部材回転防止部材が、前記固定部材に一体に成形されたことを特徴とする請求項３に記載のボールねじ装置。
【請求項５】
前記含油部材回転防止部材が、前記ねじ軸の径方向に対して対称的に複数設けられたことを特徴とする請求項３又は４に記載のボールねじ装置。
【手続補正２】
【補正対象書類名】明細書
【補正対象項目名】００１３
【補正方法】変更
【補正の内容】
【００１３】
上記課題を解決するための本発明のある実施形態のボールねじ装置は、ねじ軸と、該ねじ軸を貫通すると共に、転動体を介して上記ねじ軸に螺合して上記ねじ軸の軸方向に移動可能に設置されたナットと、上記ナットの端部に取り付けられた固定部材とを有し、
前記ナットの端面と、前記固定部材の前記ナットに対向する端面とが周方向の全面に亘って当接し、
前記固定部材には、前記ナットに対向する端面の周方向の全面に亘ってフランジ部が形成され、
前記ナットの端面には、前記フランジ部の外周面に嵌合する印ろう部が形成されている。
また、上記ボールねじ装置は、上記固定部材が、前記ナット内への異物の侵入を防ぐ防塵部材を備えてもよい。
また、上記ボールねじ装置は、上記固定部材が、上記ねじ軸の表面に潤滑剤を供給する含油部材を収容するようにしてもよい。なお、上記固定部材は、上記含油部材を収容する筒状の本体部と、この本体部の内周面に沿って端部から径方向内方に直角に連続して上記本体部とは反対側に突出する円環状の上記フランジ部とを有することが好ましい。
【手続補正３】
【補正対象書類名】明細書
【補正対象項目名】００１４
【補正方法】変更
【補正の内容】
【００１４】
また、上記含油部材が径方向に間隙を有する複数の分割体に分割され、
上記固定部材には、上記間隙に係合して、上記含油部材の回転を制限する含油部材回転防止部材が形成されてもよい。
【手続補正４】
【補正対象書類名】明細書
【補正対象項目名】００１５
【補正方法】変更
【補正の内容】
【００１５】
また、上記ボールねじ装置は、上記含油部材回転防止部材が、上記固定部材に一体に成形されてもよい。
また、上記ボールねじ装置は、上記含油部材回転防止部材が、上記ねじ軸の径方向に対して対称的に複数設けられてもよい。
【国際調査報告】
2013061555.tif 000021
2013061555.tif 000022